【手続補正書】
【提出日】平成17年3月31日(2005.3.31)
【手続補正１】
【補正対象書類名】明細書
【補正対象項目名】発明の名称
【補正方法】変更
【補正の内容】
【発明の名称】トナー補給容器及び駆動伝達部材
【手続補正２】
【補正対象書類名】明細書
【補正対象項目名】特許請求の範囲
【補正方法】変更
【補正の内容】
【特許請求の範囲】
【請求項１】
電子写真画像形成装置本体に着脱自在なトナー補給容器において、
（i）トナーを収納するトナー収納部と、
（ii）前記収納部から突出して設けられ前記トナーを排出するための開口部と、
（iii）前記開口部の先端に設けられたトナー排出口を封止するシール部と、
（iv）前記電子写真画像形成装置本体から回転駆動を受ける駆動受け部と、
を有し、
前記駆動受け部を前記開口部に設け、前記シール部が前記電子写真画像形成装置本体側に設けた駆動伝達部材兼突き破り部材により突き破られることで開封され前記駆動受け部と駆動伝達可能に係合することを特徴とするトナー補給容器。
【請求項２】
電子写真画像形成装置本体に着脱自在なトナー補給容器において、
（i）トナーを収納するトナー収納部と、
（ii）前記収納部から突出して設けられトナーを排出するための開口部と、
（iii）前記開口部の先端に設けられたトナー排出口を封止するシール部と、
（iv）前記電子写真画像形成装置本体から回転駆動を受ける駆動受け部と、
を有し、
前記駆動受け部を前記開口部内に設け、前記シール部が前記電子写真画像形成装置本体側に設けた駆動伝達部材兼突き破り部材により突き破られることで開封され前記駆動受け部と駆動伝達可能に係合することを特徴とするトナー補給容器。
【請求項３】
前記トナー補給容器は、トナー補給容器自体が回転することで、収容されたトナーが搬送、排出される手段を有し、且つ、前記トナー補給開口部は前記トナー搬送方向の端面に設けることを特徴とする請求項１又は２記載のトナー補給容器。
【請求項４】
前記トナー補給容器自体が回転することでトナーを搬送・排出するトナー補給容器であって、前記トナー補給容器には回転軸線方向に延出し前記容器内部を複数に分割するように設けられた仕切り壁を有し、前記仕切り壁は前記開口部断面を通る位置に配置され、更に前記仕切り壁には、回転軸線に対して傾斜した複数の突起が、前記仕切り壁から突き出して設けられ、前記複数の突起の少なくとも１つは開口部に接続されており、前記仕切り壁と前記複数の突起によりトナーを回転軸線方向に搬送することを特徴とする請求項１又は２記載のトナー補給容器。
【請求項５】
前記仕切り壁には貫通する穴部が開けられていることを特徴とする請求項４記載のトナー補給容器。
【請求項６】
前記トナー補給容器は回転することでトナーを搬送する搬送部材を有し、且つ、前記トナー補給開口部は前記トナー搬送方向の端面に設けることを特徴とする請求項２記載のトナー補給容器。
【請求項７】
前記シール部は、フィルムを接着してなることを特徴とする請求項１〜６いずれか１つに記載のトナー補給容器。
【請求項８】
前記シール部には、ミシン目の切れ目が入っていることを特徴とする請求項７記載のトナー補給容器。
【請求項９】
前記シール部には、ハーフカットが入っていることを特徴とする請求項７記載のトナー補給容器。
【請求項１０】
前記シール部は、弾性部材を接着してなり、突き破られると収縮することを特徴とする請求項１〜６いずれか１つに記載のトナー補給容器。
【請求項１１】
前記シール部を保護する保護キャップを設けることを特徴とする請求項１〜１０いずれか１つに記載のトナー補給容器。
【請求項１２】
電子写真画像形成装置に着脱自在にセットされる駆動伝達部材であって、前記電子写真画像形成装置本体からの回転駆動力をトナー補給容器に伝達する駆動伝達部材において、
（i）前記シール部を突き破る凸部と、
（ii）前記電子写真画像形成装置本体からの回転駆動力をトナー補給容器に伝達する駆動伝達部と、
を有していることを特徴とする駆動伝達部材。
【請求項１３】
前記駆動伝達部材の先端は、鋭利な形状を有していることを特徴とする請求項１２記載の駆動伝達部材。
【請求項１４】
前記凸部は複数個設けられていることを特徴とする請求項１２又は１３記載の駆動伝達部材。
【請求項１５】
前記凸部は管形状であり、前記管の外径は前記トナー補給開口部の内径に略等しく、更に管の側面には前記電子写真画像形成装置本体にトナーを補給するための穴があいていることを特徴とする請求項１２又は１３記載の駆動伝達部材。
【手続補正３】
【補正対象書類名】明細書
【補正対象項目名】００１５
【補正方法】変更
【補正の内容】
【００１５】
本出願に係る第１の発明は、
電子写真画像形成装置本体に着脱自在なトナー補給容器において、
（i）トナーを収納するトナー収納部と、
（ii）前記収納部から突出して設けられ前記トナーを排出するための開口部と、
（iii）前記開口部の先端に設けられたトナー排出口を封止するシール部と、
（iv）前記電子写真画像形成装置本体から回転駆動を受ける駆動受け部と、
を有し、
前記駆動受け部を前記開口部に設け、前記シール部が前記電子写真画像形成装置本体側に設けた駆動伝達部材兼突き破り部材により突き破られることで開封され前記駆動受け部と駆動伝達可能に係合することを特徴とするトナー補給容器。
【手続補正４】
【補正対象書類名】明細書
【補正対象項目名】００１７
【補正方法】変更
【補正の内容】
【００１７】
本出願に係る第２の発明は、
電子写真画像形成装置本体に着脱自在なトナー補給容器において、
（i）トナーを収納するトナー収納部と、
（ii）前記収納部から突出して設けられトナーを排出するための開口部と、
（iii）前記開口部の先端に設けられたトナー排出口を封止するシール部と、
（iv）前記電子写真画像形成装置本体から回転駆動を受ける駆動受け部と、
を有し、
前記駆動受け部を前記開口部内に設け、前記シール部が前記電子写真画像形成装置本体側に設けた駆動伝達部材兼突き破り部材により突き破られることで開封され前記駆動受け部と駆動伝達可能に係合することを特徴とするトナー補給容器。
【手続補正５】
【補正対象書類名】明細書
【補正対象項目名】００２１
【補正方法】変更
【補正の内容】
【００２１】
本出願に係る第４の発明は、
本発明第１又は２の発明において、
前記トナー補給容器自体が回転することでトナーを搬送・排出するトナー補給容器であって、前記トナー補給容器には回転軸線方向に延出し前記容器内部を複数に分割するように設けられた仕切り壁を有し、前記仕切り壁は前記開口部断面を通る位置に配置され、更に前記仕切り壁には、回転軸線に対して傾斜した複数の突起が、前記仕切り壁から突き出して設けられ、前記複数の突起の少なくとも１つは開口部に接続されており、前記仕切り壁と前記複数の突起によりトナーを回転軸線方向に搬送することを特徴とする。
【手続補正６】
【補正対象書類名】明細書
【補正対象項目名】００３６
【補正方法】変更
【補正の内容】
【００３６】
本出願に係る第１２の発明は、
電子写真画像形成装置に着脱自在にセットされる駆動伝達部材であって、前記電子写真画像形成装置本体からの回転駆動力をトナー補給容器に伝達する駆動伝達部材において、
（i）前記シール部を突き破る凸部と、
（ii）前記電子写真画像形成装置本体からの回転駆動力をトナー補給容器に伝達する駆動伝達部と、
を有していることを特徴とする駆動伝達部材。
【手続補正７】
【補正対象書類名】明細書
【補正対象項目名】００４４
【補正方法】削除
【補正の内容】
【手続補正８】
【補正対象書類名】明細書
【補正対象項目名】００４５
【補正方法】削除
【補正の内容】
【手続補正９】
【補正対象書類名】明細書
【補正対象項目名】００４６
【補正方法】削除
【補正の内容】
【手続補正１０】
【補正対象書類名】明細書
【補正対象項目名】００４７
【補正方法】削除
【補正の内容】
【手続補正１１】
【補正対象書類名】明細書
【補正対象項目名】００４８
【補正方法】削除
【補正の内容】
【手続補正１２】
【補正対象書類名】明細書
【補正対象項目名】００４９
【補正方法】削除
【補正の内容】
【手続補正１３】
【補正対象書類名】明細書
【補正対象項目名】００５０
【補正方法】削除
【補正の内容】
【手続補正１４】
【補正対象書類名】明細書
【補正対象項目名】００５１
【補正方法】削除
【補正の内容】
【手続補正１５】
【補正対象書類名】明細書
【補正対象項目名】００５２
【補正方法】削除
【補正の内容】
【手続補正１６】
【補正対象書類名】明細書
【補正対象項目名】００５３
【補正方法】削除
【補正の内容】
【手続補正１７】
【補正対象書類名】明細書
【補正対象項目名】００５４
【補正方法】削除
【補正の内容】
【手続補正１８】
【補正対象書類名】明細書
【補正対象項目名】００５５
【補正方法】削除
【補正の内容】
【手続補正１９】
【補正対象書類名】明細書
【補正対象項目名】００５６
【補正方法】削除
【補正の内容】
【手続補正２０】
【補正対象書類名】明細書
【補正対象項目名】００５７
【補正方法】削除
【補正の内容】
【手続補正２１】
【補正対象書類名】明細書
【補正対象項目名】００５８
【補正方法】削除
【補正の内容】
【手続補正２２】
【補正対象書類名】明細書
【補正対象項目名】００５９
【補正方法】削除
【補正の内容】
【手続補正２３】
【補正対象書類名】明細書
【補正対象項目名】００６０
【補正方法】削除
【補正の内容】
【手続補正２４】
【補正対象書類名】明細書
【補正対象項目名】００６１
【補正方法】削除
【補正の内容】
【手続補正２５】
【補正対象書類名】明細書
【補正対象項目名】００６２
【補正方法】削除
【補正の内容】
【手続補正２６】
【補正対象書類名】明細書
【補正対象項目名】００６３
【補正方法】削除
【補正の内容】
【手続補正２７】
【補正対象書類名】明細書
【補正対象項目名】００６４
【補正方法】削除
【補正の内容】
【手続補正２８】
【補正対象書類名】明細書
【補正対象項目名】００６５
【補正方法】削除
【補正の内容】
【手続補正２９】
【補正対象書類名】明細書
【補正対象項目名】００６６
【補正方法】削除
【補正の内容】
【手続補正３０】
【補正対象書類名】明細書
【補正対象項目名】００６７
【補正方法】削除
【補正の内容】
【手続補正３１】
【補正対象書類名】明細書
【補正対象項目名】００６８
【補正方法】削除
【補正の内容】
【手続補正３２】
【補正対象書類名】明細書
【補正対象項目名】００６９
【補正方法】削除
【補正の内容】
【手続補正３３】
【補正対象書類名】明細書
【補正対象項目名】００７０
【補正方法】削除
【補正の内容】
【手続補正３４】
【補正対象書類名】明細書
【補正対象項目名】００７１
【補正方法】削除
【補正の内容】
【手続補正３５】
【補正対象書類名】明細書
【補正対象項目名】００７２
【補正方法】削除
【補正の内容】
【手続補正３６】
【補正対象書類名】明細書
【補正対象項目名】００７３
【補正方法】削除
【補正の内容】